(57)【要約】【課題】映像コンテンツに適した再生方法を自動で実行することができるコンテンツ再生装置、コンテンツ再生システム及びコンテンツ再生方法を提供する。【解決手段】コンテンツ再生装置１は、外部と通信する通信部１０と、通信部１０を介して映像コンテンツ３０ａ及び映像コンテンツ３０ａに対応した品質管理値を含む品質評価テーブル４０ａを外部から受信して、品質評価値に基づいて映像コンテンツ３０ａの再生方法を決定する品質評価部１５と、決定した再生方法に基づいて映像コンテンツ３０ａを再生する制御部１３とを有する。【選択図】図２
2010109657.tif 000002
【特許請求の範囲】
【請求項１】
外部と通信する通信部と、
前記通信部を介して映像コンテンツ及び前記映像コンテンツに対応した品質評価値を前記外部から受信して、前記品質評価値に基づいて前記映像コンテンツの再生方法を決定する品質評価部と、
決定した前記再生方法に基づいて前記映像コンテンツを再生する制御部とを有することを特徴とするコンテンツ再生装置。
【請求項２】
前記品質評価部は、前記品質評価値を受信できない場合、前記映像コンテンツを品質評価して品質評価値を生成し、前記映像コンテンツの再生方法を決定することを特徴とする請求項１に記載のコンテンツ再生装置。
【請求項３】
前記品質評価部は、生成した前記品質評価値を前記通信部を介して外部に登録するよう送信することを特徴とする請求項２に記載のコンテンツ再生装置。
【請求項４】
前記品質評価部は、前記映像コンテンツを再生した際に入力された操作内容を前記通信部を介して外部に登録するよう送信することを特徴とする請求項２に記載のコンテンツ再生装置。
【請求項５】
前記品質評価部は、前記再生方法として、再生する前記映像コンテンツの表示サイズを制限することを特徴とする請求項１に記載のコンテンツ再生装置。
【請求項６】
前記品質評価部は、前記再生方法として、再生する前記映像コンテンツの音声の音量を制限することを特徴とする請求項１に記載のコンテンツ再生装置。
【請求項７】
映像コンテンツを提供するコンテンツ提供サーバと、
前記映像コンテンツの品質評価値を管理するコンテンツ品質管理サーバと、
前記コンテンツ提供サーバ及び前記コンテンツ品質管理サーバと通信する通信部と、前記通信部を介して前記映像コンテンツ及び前記映像コンテンツに対応した前記品質評価値を受信して、前記品質評価値に基づいて前記映像コンテンツの再生方法を決定する品質評価部と、決定した前記再生方法に基づいて前記映像コンテンツを再生する制御部とを有するコンテンツ再生装置とを有することを特徴とするコンテンツ再生システム。
【請求項８】
前記品質管理サーバは、前記コンテンツ提供サーバを巡回して前記映像コンテンツを取得し、前記映像コンテンツの品質評価値を生成することを特徴とする請求項７に記載のコンテンツ再生システム。
【請求項９】
前記コンテンツ再生装置は、前記品質評価値を受信できない場合、前記映像コンテンツを品質評価して品質評価値を生成し、前記映像コンテンツの再生方法を決定するとともに、前記映像コンテンツの再生中の操作内容を保存し、生成した前記品質評価値と前記操作内容とを前記品質管理サーバに送信することを特徴とする請求項７に記載のコンテンツ再生システム。
【請求項１０】
前記品質管理サーバは、前記コンテンツ提供サーバを巡回して前記映像コンテンツを取得し、前記映像コンテンツの詳細品質評価値を生成するとともに、前記コンテンツ再生装置から前記品質評価値と前記操作内容とを受信して、前記詳細品質評価値と前記品質評価値と前記操作内容とから新たに品質評価値を生成することを特徴とする請求項９に記載のコンテンツ再生システム。
【請求項１１】
映像コンテンツ及び前記映像コンテンツに対応した品質評価値を外部から受信する受信ステップと、
前記品質評価値に基づいて前記映像コンテンツの再生方法を決定する品質評価ステップと、
決定した前記再生方法に基づいて前記映像コンテンツを再生する再生ステップとを有することを特徴とするコンテンツ再生方法。
【発明の詳細な説明】
【技術分野】
【０００１】
本発明は、コンテンツ再生装置、コンテンツ再生システム及びコンテンツ再生方法に関する。
【背景技術】
【０００２】
従来の技術として、映像コンテンツを再生する際に、その映像コンテンツ及び再生する機器に応じて最適な画質に調整するコンテンツ再生装置がある（例えば、特許文献１参照）。
【０００３】
このコンテンツ再生装置は、映像コンテンツを公開するコンテンツ提供サーバとネットワークを介して接続されており、コンテンツ提供サーバから映像コンテンツを受信して本体において再生することができ、再生の際、コンテンツ提供サーバからコンテンツ再生装置の識別情報と映像コンテンツの識別情報に対応付けられた画質調整データを同時に取得することでコンテンツ再生装置及び映像コンテンツに対して最適な画質調整を実行することができる。
【０００４】
しかし、従来のコンテンツ再生装置によると、コンテンツ再生装置及び映像コンテンツに対応する画質調整データがない場合は、利用者が手動で設定しなければならず、操作が煩雑である。また、画質調整データは、映像コンテンツの画質のみ設定するため、その他の動作を実行することができず応用性に乏しいという問題がある。
【特許文献１】特開２００７−２５２９４号公報
【発明の開示】
【発明が解決しようとする課題】
【０００５】
従って、本発明の目的は、映像コンテンツに適した再生方法を自動で実行することができるコンテンツ再生装置、コンテンツ再生システム及びコンテンツ再生方法を提供することにある。
【課題を解決するための手段】
【０００６】
（１）本発明は上記目的を達成するため、外部と通信する通信部と、前記通信部を介して映像コンテンツ及び前記映像コンテンツに対応した品質評価値を前記外部から受信して、前記品質評価値に基づいて前記映像コンテンツの再生方法を決定する品質評価部と、決定した前記再生方法に基づいて前記映像コンテンツを再生する制御部とを有することを特徴とするコンテンツ再生装置を提供する。
【０００７】
上記した構成によれば、再生する映像コンテンツに対応した品質管理値を取得して、品質管理値に基づいて映像コンテンツの再生方法を制限するため、例えば、品質の悪い映像コンテンツの再生方法を制限し、品質の良い映像コンテンツを通常再生することができる。
【０００８】
（２）本発明は上記目的を達成するため、映像コンテンツを提供するコンテンツ提供サーバと、前記映像コンテンツの品質評価値を管理するコンテンツ品質管理サーバと、前記コンテンツ提供サーバ及び前記コンテンツ品質管理サーバと通信する通信部と、前記通信部を介して前記映像コンテンツ及び前記映像コンテンツに対応した前記品質評価値を受信して、前記品質評価値に基づいて前記映像コンテンツの再生方法を決定する品質評価部と、決定した前記再生方法に基づいて前記映像コンテンツを再生する制御部とを有するコンテンツ再生装置とを有することを特徴とするコンテンツ再生システムを提供する。
【０００９】
上記した構成によれば、（１）と同様の効果を有するコンテンツ再生システムを実現できる。
【００１０】
（３）本発明は上記目的を達成するため、映像コンテンツ及び前記映像コンテンツに対応した品質評価値を外部から受信する受信ステップと、前記品質評価値に基づいて前記映像コンテンツの再生方法を決定する品質評価ステップと、決定した前記再生方法に基づいて前記映像コンテンツを再生する再生ステップとを有することを特徴とするコンテンツ再生方法を提供する。
【００１１】
上記した構成によれば、（１）と同様の効果を有するコンテンツ再生方法を実現できる。
【発明の効果】
【００１２】
本発明によれば、映像コンテンツに適した再生方法を自動で実行することができる。
【発明を実施するための最良の形態】
【００１３】
以下に、本発明のコンテンツ再生装置、コンテンツ再生システム及びコンテンツ再生方法の実施の形態を、図面を参照して詳細に説明する。
【００１４】
［実施の形態］
（コンテンツ再生システムの構成）
図１は、本発明の実施の形態に係るコンテンツ再生システムの構成例を示す概略図である。
【００１５】
コンテンツ再生システム１００は、映像コンテンツを再生するコンテンツ再生装置１と、コンテンツ再生装置１が映像コンテンツを再生することで出力する映像信号を表示する表示装置２と、内部に格納する映像コンテンツ３０をネットワーク６を介してコンテンツ再生装置１に提供するコンテンツ提供サーバ３と、コンテンツ提供サーバ３が格納する映像コンテンツ３０の品質を示す品質管理テーブル４０を内部に格納しネットワーク６を介してコンテンツ再生装置１に提供するコンテンツ品質管理サーバ４と、内部に格納する映像コンテンツ５０をネットワークを介してコンテンツ提供サーバに登録するパーソナルコンピュータ（ＰＣ）５とを有する。
【００１６】
図２は、本発明の実施の形態に係るコンテンツ再生装置の構成を示すブロック図である。
【００１７】
コンテンツ再生装置１は、ネットワーク６と接続されて外部と通信する通信部１０と、表示装置２と接続されて再生した映像コンテンツの映像信号を出力する出力部１１と、映像コンテンツの再生状態を制御する操作部１２と、各部を制御するとともに映像コンテンツを再生する制御部１３と、一時的に情報を記憶するメモリ１４と、通信部１０を介して取得した映像コンテンツ及び品質管理テーブルに基づいて映像コンテンツの再生方法を決定する品質評価部１５とを有する。
【００１８】
メモリ１４は、コンテンツ提供サーバ３から受信した映像コンテンツ３０ａと、コンテンツ品質管理サーバ４から受信した品質管理テーブル４０ａとを記憶する。
【００１９】
品質評価部１５は、品質評価部１５上に設けられた図示しない不揮発メモリ上に利用者設定値１５０を記憶する。利用者設定値１５０は、映像コンテンツの品質評価値に対応する値であり、利用者によって設定される。
【００２０】
品質評価値は、複数の品質要素、例えば、フリッカ現象、手振れ、低解像度、多雑音、急激な音量変化、不適切なキーワード等を含む程度によって定義され、各品質要素にそれぞれ重み付けを行った数値の和で表す。
【００２１】
品質評価部１５は、例えば、１〜１０の数値で定義され、この値より映像コンテンツの品質評価値が高い場合、映像を通常再生し、低い場合、映像の再生方法を制限する。
【００２２】
図３は、本発明の実施の形態に係るコンテンツ品質管理サーバの構成を示すブロック図である。
【００２３】
コンテンツ品質管理サーバ４は、ネットワーク６と接続されて外部と通信する通信部４１と、各部を制御する制御部４２と、コンテンツ提供サーバ３の映像コンテンツ３０の品質を評価する品質評価部４３と、品質評価部４３の評価結果としての品質管理テーブル４０を記憶する記憶部４４とを有する。
【００２４】
図４は、本発明の実施の形態に係るコンテンツ再生装置の表示例を示す概略図である。
【００２５】
表示画面２０は、表示サイズの制限された再生映像２００と、再生映像２００が再生制限されているか否かを表示する再生状態表示２０１と、再生制限の内容を示すメッセージ２０２と、再生制限を解除するための通常再生ボタン２０３とを有する。
【００２６】
（動作）
以下に、本発明の実施の形態におけるコンテンツ再生装置の動作を各図を参照しつつ説明する。
【００２７】
図５は、本発明の実施の形態に係るコンテンツ再生装置の動作例を示すフローチャートである。
【００２８】
まず、品質評価部１５は、操作部１２に入力された利用者の操作内容に基づいて利用者の所望する映像コンテンツ３０を通信部１０を介してコンテンツ提供サーバ３から取得し、メモリ１４に映像コンテンツ３０ａとして記憶する（Ｓ１０）。
【００２９】
次に、品質評価部１５は、映像コンテンツ３０に対応した品質評価値を通信部１０を介してコンテンツ品質管理サーバ４に要求し（Ｓ１１）、品質管理テーブル４０に映像コンテンツ３０ａに対応した品質評価値が存在する場合（Ｓ１２；Ｙｅｓ）、その品質評価値を含む品質管理テーブル４０を受信して、メモリ１４に品質管理テーブル４０ａとして記憶する（Ｓ１３）。
【００３０】
また、品質管理テーブル４０に映像コンテンツ３０ａに対応した品質評価値が存在しない場合（Ｓ１２；Ｎｏ）、品質評価部１５は、映像コンテンツ３０ａを評価して品質評価値を算出し（Ｓ１８）、コンテンツ品質管理サーバ４の品質管理テーブル４０に登録するようコンテンツ品質管理サーバへ品質評価値を送信する（Ｓ１９）。
【００３１】
次に、品質評価部１５は、品質評価値と利用者設定値１５０とを比較して、品質評価値が利用者設定値１５０以上である場合（Ｓ１４；Ｙｅｓ）、映像コンテンツ３０ａを通常再生するよう制御部１３を動作させて映像コンテンツ３０ａを再生する（Ｓ１５）。又、品質評価値が利用者設定値１５０より小さい場合（Ｓ１４；Ｎｏ）、映像コンテンツ３０ａを再生制限するよう制御部１３を動作させて映像コンテンツ３０ａを再生する（Ｓ１５）。
【００３２】
次に、映像コンテンツ３０ａの再生中に利用者が操作部１２に入力した操作履歴を収集し（Ｓ１６）、利用者操作履歴をコンテンツ品質管理サーバ４にフィードバックする（Ｓ１７）。
【００３３】
図６は、本発明の実施の形態に係るコンテンツ品質管理サーバの動作例を示すフローチャートである。
【００３４】
まず、コンテンツ品質管理サーバ４の品質評価部４３は、コンテンツ提供サーバ３を定期的に巡回して映像コンテンツ３０を取得する（Ｓ２０）。
【００３５】
次に、品質管理テーブル４０内に取得した映像コンテンツ３０の詳細品質評価値が存在するか確認し、詳細品質評価値が存在する場合（Ｓ２１；Ｙｅｓ）、動作を終了する。
【００３６】
また、詳細品質評価値が存在しない場合（Ｓ２１；Ｎｏ）、取得した映像コンテンツ３０を詳細評価して詳細品質評価値を算出し（Ｓ２２）、詳細品質評価値を品質管理テーブル４０に登録する（Ｓ２３）。
【００３７】
ここで、詳細評価とは、コンテンツ品質管理サーバ４において、コンテンツ再生装置１による品質評価と同内容で品質評価よりも詳細な品質評価を行うことである。例えば、高負荷な処理によって映像や音声データの高精度な解析を行う。また、コンテンツ再生装置１による品質評価に加えて評価内容を増加させてもよい。品質評価コンテンツ品質管理サーバ４に品質評価における処理能力や処理時間に余裕がある場合に上記詳細評価を行う。
【００３８】
図７は、本発明の実施の形態に係るコンテンツ品質管理サーバの動作例を示すフローチャートである。
【００３９】
まず、コンテンツ品質管理サーバ４の品質評価部４３は、コンテンツ再生装置１から受信したある映像コンテンツ３０に対応する品質評価値及び利用者操作履歴を統計的に分析する（Ｓ３０）。
【００４０】
次に、映像コンテンツ３０に対応する詳細品質評価値が存在する場合（Ｓ３１；Ｙｅｓ）、ステップＳ３０における分析結果と詳細品質評価値とに基づいて、品質評価部４３は、映像コンテンツ３０の品質評価値を算出し（Ｓ３２）、品質管理テーブル４０の品質評価値を更新する（Ｓ３３）。
【００４１】
また、映像コンテンツ３０に対応する詳細品質評価値が存在しない場合（Ｓ３１；Ｎｏ）、品質評価部４３は、映像コンテンツ３０を詳細評価して詳細品質評価値を算出し（Ｓ３４）、ステップＳ３２へ進む。
【００４２】
（実施の形態の効果）
上記した実施の形態によると、再生する映像コンテンツ３０ａに対応した品質管理値を取得して、品質管理値が予め定めた値より小さい場合に映像コンテンツ３０ａの再生方法を制限するため、品質の悪い映像コンテンツの再生方法を制限し、品質の良い映像コンテンツを通常再生することができる。また、品質に応じて自動で再生方法を制限するため、通常テレビ等では変更できない又は変更するのに手間のかかる再生方法の制限を容易に実行することができる。
【００４３】
また、映像コンテンツ３０ａに該当する品質管理値がコンテンツ品質管理サーバ４に存在しない場合、コンテンツ再生装置１が品質管理値を生成し、その品質管理値をコンテンツ品質管理サーバ４に送信するため、映像コンテンツに該当する品質管理値を常に用意することができる。また操作部１２の操作履歴、例えば、急激な音量変化に対応した操作履歴等からも品質管理値を生成することができる。
【００４４】
なお、映像コンテンツの再生方法の制限は、画面サイズ制限又は音量制限等に限らず、映像コンテンツのビットレートの変更、再生時間の変更等の他の制限を加えても良い。
【図面の簡単な説明】
【００４５】
【図１】本発明の実施の形態に係るコンテンツ再生システムの構成例を示す概略図である。
【図２】本発明の実施の形態に係るコンテンツ再生装置の構成を示すブロック図である。
【図３】本発明の実施の形態に係るコンテンツ品質管理サーバの構成を示すブロック図である。
【図４】本発明の実施の形態に係るコンテンツ再生装置の表示例を示す概略図である。
【図５】本発明の実施の形態に係るコンテンツ再生装置の動作例を示すフローチャートである。
【図６】本発明の実施の形態に係るコンテンツ品質管理サーバの動作例を示すフローチャートである。
【図７】本発明の実施の形態に係るコンテンツ品質管理サーバの動作例を示すフローチャートである。
【符号の説明】
【００４６】
１…コンテンツ再生装置、２…表示装置、３…コンテンツ提供サーバ、４…コンテンツ品質管理サーバ、５…パーソナルコンピュータ、６…ネットワーク、１０…通信部、１１…出力部、１２…操作部、１３…制御部、１４…メモリ、１５…品質評価部、２０…表示画面、３０…映像コンテンツ、３０ａ…映像コンテンツ、４０…品質管理テーブル、４０ａ…品質管理テーブル、４１…通信部、４２…制御部、４３…品質評価部、４４…記憶部、５０…映像コンテンツ、１００…コンテンツ再生システム、１５０…利用者設定値、２００…再生映像、２０１…再生状態表示、２０２…メッセージ、２０３…通常再生ボタン
【図１】
2010109657.tif 000003
【図２】
2010109657.tif 000004
【図３】
2010109657.tif 000005
【図４】
2010109657.tif 000006
【図５】
2010109657.tif 000007
【図６】
2010109657.tif 000008
【図７】
2010109657.tif 000009